(57)【要約】      （修正有）【課題】利便性を向上することのできる表示装置および表示装置の制御プログラムを提供する。【解決手段】表示装置としての画像形成装置１は、操作を受け付ける表示部１３４を備える。画像形成装置は、外部機器を操作した場合に外部機器を振動させる振動形式の設定情報である振動設定情報を、外部機器から受信し、振動設定情報に基づいて振動形式を設定する。画像形成装置１は、設定した振動形式に従って表示部を振動させる振動部１３５をさらに備える。【選択図】図２
2020046714.tif 000002
【特許請求の範囲】
【請求項１】
操作を受け付ける操作受付手段と、
外部機器を操作した場合に前記外部機器を振動させる振動形式の設定情報である振動設定情報を、前記外部機器から受信する受信手段と、
前記振動設定情報に基づいて振動形式を設定する設定手段と、
前記設定手段にて設定した振動形式に従って、前記操作受付手段を振動させる第１の振動手段とを備えた、表示装置。
【請求項２】
前記受信手段は、認証情報を前記外部機器からさらに受信し、
前記認証情報に基づいて前記外部機器のユーザーを認証する認証手段と、
前記認証手段にて前記ユーザーを認証した場合に、前記設定手段は、第１の形式から第２の形式に振動形式を切り替え、
前記第１の振動手段は、前記第２の形式に従って前記操作受付手段を振動させる、請求項１に記載の表示装置。
【請求項３】
前記ユーザーが前記表示装置をログアウトした場合に、前記第２の形式から前記第１の形式に前記表示装置の振動形式の設定を切り替える第１の後切替手段をさらに備えた、請求項２に記載の表示装置。
【請求項４】
前記認証手段にて前記ユーザーを認証した後、各種設定をデフォルトの設定に戻すオールクリアの処理を行う場合、前記第２の形式からデフォルトの形式に振動形式の設定を切り替える第２の後切替手段をさらに備えた、請求項２または３に記載の表示装置。
【請求項５】
前記設定手段は、振動形式に関する複数の候補の中から前記表示装置の振動形式を設定し、
前記受信手段にて受信した前記振動設定情報が示す振動形式と同一の振動形式が前記複数の候補の中に存在する場合、前記設定手段は、前記受信手段にて受信した前記振動設定情報が示す振動形式と同一の振動形式に振動形式を設定する、請求項１〜４のいずれかに記載の表示装置。
【請求項６】
前記受信手段にて受信した前記振動設定情報が示す振動形式と同一の振動形式が前記複数の候補の中に存在しない場合、前記設定手段は、前記複数の候補のうち任意の振動形式に、振動形式を設定する、請求項４に記載の表示装置。
【請求項７】
前記受信手段にて受信した前記振動設定情報が示す振動形式と同一の振動形式が前記複数の候補の中に存在しない場合、前記設定手段は、前記複数の候補のうち前記受信手段にて受信した前記振動設定情報が示す振動形式に最も近い振動形式に振動形式を設定する、請求項４に記載の表示装置。
【請求項８】
前記受信手段にて受信した前記振動設定情報が示す振動形式と同一の振動形式が前記複数の候補の中に存在しない場合、前記設定手段は、前記表示装置の外部から取得した振動形式のデータであって、前記受信手段にて受信した前記振動設定情報が示す振動形式のデータを用いて振動形式を設定する、請求項４に記載の表示装置。
【請求項９】
前記受信手段にて受信した前記振動設定情報が示す振動形式と同一の振動形式が前記複数の候補の中に存在しない場合、前記設定手段は、前記受信手段にて受信した前記振動設定情報に基づいて新たな振動形式を作成し、前記新たな振動形式に振動形式を設定する、請求項４に記載の表示装置。
【請求項１０】
前記表示装置は画像形成装置であり、
前記画像形成装置が受付可能な操作を前記操作受付手段にて受け付けた場合に、前記第１の振動手段は、前記設定手段にて設定した振動形式に従って前記操作受付手段を振動させ、
前記画像形成装置が受付不可能な操作を前記操作受付手段にて受け付けた場合に、前記設定手段にて設定した振動形式の振動強度よりも高い振動強度を有する振動形式に従って前記操作受付手段を振動させる第２の振動手段をさらに備えた、請求項１〜９のいずれかに記載の表示装置。
【請求項１１】
前記表示装置は画像形成装置であり、
前記画像形成装置が受付可能な操作を前記操作受付手段にて受け付けた場合に、前記第１の振動手段は、前記設定手段にて設定した振動形式に従って前記操作受付手段を振動させ、
前記画像形成装置が受付不可能な操作を前記操作受付手段にて受け付けた場合に、前記設定手段にて設定した振動形式の振動周波数よりも高い振動周波数を有する振動形式に従って前記操作受付手段を振動させる第３の振動手段をさらに備えた、請求項１〜９のいずれかに記載の表示装置。
【請求項１２】
前記操作受付手段が操作を受け付ける操作面に対して複数点を接触させる操作であるマルチタッチを前記操作受付手段にて受け付けた場合に、前記設定手段にて設定した振動形式とは異なる振動形式に従って前記操作受付手段を振動させる第４の振動手段をさらに備えた、請求項１〜１１のいずれかに記載の表示装置。
【請求項１３】
前記表示装置は画像形成装置であり、
前記画像形成装置が実行するジョブに関する操作を前記操作受付手段にて受け付けている間に、前記受信手段にて振動設定情報を受信した場合、前記設定手段は、前記受信手段にて受信した振動設定情報に基づいて振動形式を設定しない、請求項１〜１２のいずれかに記載の表示装置。
【請求項１４】
前記設定手段が設定する振動形式は、振動周波数、振動強度、および振動時間を含む、請求項１〜１３のいずれかに記載の表示装置。
【請求項１５】
前記受信手段は、近距離無線通信により前記振動設定情報を前記外部機器から受信する、請求項１〜１４のいずれかに記載の表示装置。
【請求項１６】
操作を受け付ける操作受付手段を備えた表示装置の制御プログラムであって、
前記制御プログラムは、
外部機器を操作した場合に前記外部機器を振動させる振動形式の設定情報である振動設定情報を、前記外部機器から受信する受信ステップと、
前記振動設定情報に基づいて振動形式を設定する設定ステップと、
前記設定ステップにて設定した振動形式に従って、前記操作受付手段を振動させる第１の振動ステップとをコンピューターに実行させるためのものである、表示装置の制御プログラム。
【発明の詳細な説明】
【技術分野】
【０００１】
本発明は、表示装置および表示装置の制御プログラムに関する。より特定的には、本発明は、利便性を向上することのできる表示装置および表示装置の制御プログラムに関する。
【背景技術】
【０００２】
携帯端末の中には、操作を受け付けた場合に、操作を受け付けたことを操作者に伝えるために、操作音を鳴動させる機能を有しているものがある。操作音を鳴動させる機能を有する携帯端末においては、周囲の状況（操作音を鳴動させてはいけない状況か否か）やユーザーの好みにより、操作音の鳴動のオンオフが切り替えられる。
【０００３】
また、近年の携帯端末の多くには静電タッチパネル式の表示画面が搭載されている。静電タッチパネルの表示画面では、表示画面の押下（タッチ）をユーザーにフィードバックする情報が乏しい。このため、ユーザーは、表示画面を押下した感覚を十分に得ることができない。特に、操作音の鳴動がオフに設定されている場合には、表示画面を押下した感覚を十分に得ることができないという問題は顕著になる。
【０００４】
そこで、表示画面を押下した感覚をユーザーに与える技術として、表示画面として振動可能な振動パネルを用い、表示画面が押下された場合に振動パネルを振動させることで、表示画面の押下を振動によりユーザーにフィードバックする技術が知られている。
【０００５】
画像形成装置の中にも、操作を受け付けた場合に操作音を鳴動させる操作パネルを搭載したものがある。しかし、画像形成装置は様々な場所に設置されるため、設置場所によっては操作音を鳴動させることができず、操作音の鳴動がオフに設定される。たとえば、図書館などの静かな場所に設置されている場合や、オフィス環境で作業デスクの近くに設置されている場合、鳴動が周囲の人の迷惑になるおそれがあるため、操作音の鳴動がオフに設定される。
【０００６】
そこで、画像形成装置の操作パネルに振動パネルを搭載することで、画像形成装置においても携帯端末と同様に、表示画面の押下を振動によりユーザーにフィードバックする技術が提案されている。
【０００７】
たとえば下記特許文献１には、ＭＦＰに設けた支持台に対して脱着可能な操作端末が開示されている。この操作端末のタッチパネルは、外部の物体によるその表示領域への接触を検知すると、その接触への応答振動を表示領域に対して加える。また、接触の検知時点で操作端末が支持台に装着されている場合には、支持台から分離されている場合よりも応答振動のレベルが低下される。
【先行技術文献】
【特許文献】
【０００８】
【特許文献１】特開２０１７−１３００３０号公報
【発明の概要】
【発明が解決しようとする課題】
【０００９】
近年、携帯端末と画像形成装置とが相互に連携する状況が増えている。この連携の下で画像形成装置の操作パネルの表示画面の押下を振動によりフィードバックする場合には、携帯端末および画像形成装置の各々の振動形式が共通化されることが好ましい。これらを共通化することで、表示画面を押下した感覚が携帯端末および画像形成装置で共通化され、ユーザーの利便性（使い勝手）が向上されるためである。
【００１０】
すなわち、携帯端末および画像形成装置の各々の振動形式が共通化されていない場合には、たとえば次のような問題が生じる。携帯端末において禁止されている操作（たとえばグレーアウトされているキーの押下）が行われた場合の振動形式と、画像形成装置の操作パネルにおいて許可されている操作が行われた場合の振動形式とが同じであるときは、ユーザーは、感じる振動が禁止を意味する振動であるのか許可を意味する振動なのかを把握することができない。
【００１１】
携帯端末は個人で所有されるものであり、設定されている振動形式はユーザー毎に異なる。これに対して、画像形成装置は複数のユーザーによって使用されるものである。このため、個々のユーザーの携帯端末および画像形成装置の各々の振動形式を共通化することは困難であった。
【００１２】
ここで、個々のユーザーの携帯端末および画像形成装置の各々の振動形式を共通化する方法として、画像形成装置が個々のユーザーの認証情報と、携帯端末における振動形式の設定に関する情報とを互いに関連付けて記憶しておき、ユーザーの認証が完了した場合に、そのユーザーの認証情報に関連付けられている振動形式を採用する方法が考えられる。しかし、携帯端末における振動形式の設定はユーザーによって逐一変更される可能性があるため、携帯端末に設定されている最新の振動形式と、画像形成装置が記憶している振動形式の設定に関する情報とを完全に同期させることは困難であった。
【００１３】
本発明は、上記課題を解決するためのものであり、その目的は、利便性を向上することのできる表示装置および表示装置の制御プログラムを提供することである。
【課題を解決するための手段】
【００１４】
本発明の一の局面に従う表示装置は、操作を受け付ける操作受付手段と、外部機器を操作した場合に外部機器を振動させる振動形式の設定情報である振動設定情報を、外部機器から受信する受信手段と、振動設定情報に基づいて振動形式を設定する設定手段と、設定手段にて設定した振動形式に従って、操作受付手段を振動させる第１の振動手段とを備える。
【００１５】
上記表示装置において好ましくは、受信手段は、認証情報をさらに外部機器から受信し、認証情報に基づいて外部機器のユーザーを認証する認証手段と、認証手段にてユーザーを認証した場合に、設定手段は、第１の形式から第２の形式に振動形式を切り替え、第１の振動手段は、第２の形式に従って操作受付手段を振動させる。
【００１６】
上記表示装置において好ましくは、ユーザーが表示装置をログアウトした場合に、第２の形式から第１の形式に表示装置の振動形式の設定を切り替える第１の後切替手段をさらに備える。
【００１７】
上記表示装置において好ましくは、認証手段にてユーザーを認証した後、各種設定をデフォルトの設定に戻すオールクリアの処理を行う場合、第２の形式からデフォルトの形式に振動形式の設定を切り替える第２の後切替手段をさらに備える。
【００１８】
上記表示装置において好ましくは、設定手段は、振動形式に関する複数の候補の中から表示装置の振動形式を設定し、受信手段にて受信した振動設定情報が示す振動形式と同一の振動形式が複数の候補の中に存在する場合、設定手段は、受信手段にて受信した振動設定情報が示す振動形式と同一の振動形式に振動形式を設定する。
【００１９】
上記表示装置において好ましくは、受信手段にて受信した振動設定情報が示す振動形式と同一の振動形式が複数の候補の中に存在しない場合、設定手段は、複数の候補のうち任意の振動形式に、振動形式を設定する。
【００２０】
上記表示装置において好ましくは、受信手段にて受信した振動設定情報が示す振動形式と同一の振動形式が複数の候補の中に存在しない場合、設定手段は、複数の候補のうち受信手段にて受信した振動設定情報が示す振動形式に最も近い振動形式に振動形式を設定する。
【００２１】
上記表示装置において好ましくは、受信手段にて受信した振動設定情報が示す振動形式と同一の振動形式が複数の候補の中に存在しない場合、設定手段は、表示装置の外部から取得した振動形式のデータであって、受信手段にて受信した振動設定情報が示す振動形式のデータを用いて振動形式を設定する。
【００２２】
上記表示装置において好ましくは、受信手段にて受信した振動設定情報が示す振動形式と同一の振動形式が複数の候補の中に存在しない場合、設定手段は、受信手段にて受信した振動設定情報に基づいて新たな振動形式を作成し、新たな振動形式に振動形式を設定する。
【００２３】
上記表示装置において好ましくは、表示装置は画像形成装置であり、画像形成装置が受付可能な操作を操作受付手段にて受け付けた場合に、第１の振動手段は、設定手段にて設定した振動形式に従って操作受付手段を振動させ、画像形成装置が受付不可能な操作を操作受付手段にて受け付けた場合に、設定手段にて設定した振動形式の振動強度よりも高い振動強度を有する振動形式に従って操作受付手段を振動させる第２の振動手段をさらに備える。
【００２４】
上記表示装置において好ましくは、表示装置は画像形成装置であり、画像形成装置が受付可能な操作を操作受付手段にて受け付けた場合に、第１の振動手段は、設定手段にて設定した振動形式に従って操作受付手段を振動させ、画像形成装置が受付不可能な操作を操作受付手段にて受け付けた場合に、設定手段にて設定した振動形式の振動周波数よりも高い振動周波数を有する振動形式に従って操作受付手段を振動させる第３の振動手段をさらに備える。
【００２５】
上記表示装置において好ましくは、操作受付手段が操作を受け付ける操作面に対して複数点を接触させる操作であるマルチタッチを操作受付手段にて受け付けた場合に、設定手段にて設定した振動形式とは異なる振動形式に従って操作受付手段を振動させる第４の振動手段をさらに備える。
【００２６】
上記表示装置において好ましくは、表示装置は画像形成装置であり、画像形成装置が実行するジョブに関する操作を操作受付手段にて受け付けている間に、受信手段にて振動設定情報を受信した場合、設定手段は、受信手段にて受信した振動設定情報に基づいて振動形式を設定しない。
【００２７】
上記表示装置において好ましくは、設定手段が設定する振動形式は、振動周波数、振動強度、および振動時間を含む。
【００２８】
上記表示装置において好ましくは、受信手段は、近距離無線通信により振動設定情報を外部機器から受信する。
【００２９】
本発明の他の局面に従う表示装置の制御プログラムは、操作を受け付ける操作受付手段を備えた表示装置の制御プログラムであって、制御プログラムは、外部機器を操作した場合に外部機器を振動させる振動形式の設定情報である振動設定情報を、外部機器から受信する受信ステップと、振動設定情報に基づいて振動形式を設定する設定ステップと、設定ステップにて設定した振動形式に従って、操作受付手段を振動させる第１の振動ステップとをコンピューターに実行させるためのものである。
【発明の効果】
【００３０】
本発明によれば、利便性を向上することのできる表示装置および表示装置の制御プログラムを提供することができる。
【図面の簡単な説明】
【００３１】
【図１】本発明の第１の実施の形態における画像処理システムの概略的な構成を示す図である。
【図２】本発明の第１の実施の形態における画像形成装置１の内部構成を示すブロック図である。
【図３】本発明の第１の実施の形態における携帯端末２の内部構成を示すブロック図である。
【図４】本発明の第１の実施の形態における画像形成装置１と携帯端末２との接続の態様を模式的に示す図である。
【図５】本発明の第１の実施の形態において設定可能な振動部１３５の振動形式の種類を示す図である。
【図６】本発明の第１の実施の形態における画像形成装置１の切替動作を模式的に示す図である。
【図７】本発明の第１の実施の形態における振動部１３５の振動形式の設定の第１の切替動作を示すフローチャートである。
【図８】本発明の第１の実施の形態における振動部１３５の振動形式の設定の第２の切替動作を示すフローチャートである。
【図９】本発明の第２の実施の形態における振動部１３５の振動形式の設定の切替動作を模式的に示す図である。
【図１０】本発明の第２の実施の形態における振動部１３５の振動形式の設定の切替動作を示すフローチャートである。
【図１１】本発明の第３の実施の形態における振動部１３５の振動形式の設定の切替動作を模式的に示す図である。
【図１２】本発明の第３の実施の形態における振動部１３５の振動形式の設定の第１の切替動作を示すフローチャートである。
【図１３】本発明の第３の実施の形態における振動部１３５の振動形式の設定の第２の切替動作を示すフローチャートである。
【図１４】本発明の第３の実施の形態における振動部１３５の振動形式の設定の第３の切替動作を示すフローチャートである。
【図１５】本発明の第３の実施の形態における振動部１３５の振動形式の設定の第４の切替動作を示すフローチャートである。
【図１６】本発明の第４の実施の形態における振動部１３５の振動形式の設定の第１の切替動作を示すフローチャートである。
【図１７】本発明の第４の実施の形態における振動部１３５の振動形式の設定の第２の切替動作を示すフローチャートである。
【図１８】本発明の第５の実施の形態における振動部１３５の振動形式の設定の切替動作を示すフローチャートである。
【図１９】本発明の第６の実施の形態における振動部１３５の振動形式の設定の切替動作を示すフローチャートである。
【発明を実施するための形態】
【００３２】
以下の実施の形態においては、表示装置がＭＦＰ（Ｍｕｌｔｉｆｕｎｃｔｉｏｎ  Ｐｅｒｉｐｈｅｒａｌ）であり、外部機器が携帯端末である場合について説明する。ＭＦＰは、電子写真方式や静電記録方式などによって画像形成を行うものであり、スキャナー機能、ファクシミリ機能、複写機能、プリンターとしての機能、データ通信機能、およびサーバー機能を備えている。表示装置は、ＭＦＰである場合の他、たとえばファクシミリ装置、ＰＰＣ（Ｐｌａｉｎ  Ｐａｐｅｒ  Ｃｏｐｉｅｒ）などの複写機、またはレーザープリンターなどのプリンターなどの画像形成装置であってもよい。表示装置は、操作を受け付ける操作受付手段を備えていればよく、携帯端末などであってもよい。外部機器は携帯端末の他、ＰＣ（Ｐｅｒｓｏｎａｌ  Ｃｏｍｐｕｔｅｒ）や画像形成装置などであってもよい。
【００３３】
［第１の実施の形態］
【００３４】
図１は、本発明の第１の実施の形態における画像処理システムの概略的な構成を示す図である。
【００３５】
図１を参照して、画像処理システムは、ｎ（ｎは自然数）個の画像形成装置１−１〜１−ｎと、携帯端末２（外部機器の一例）と、ｍ（ｍは自然数）個の情報処理装置３−１〜３−ｍとを備えている。画像形成装置１の各々と情報処理装置３の各々とはネットワーク４ａを通じて相互に接続されている。ネットワーク４ａは、外部ネットワーク５を介して、他のネットワーク４ｂと接続されている。
【００３６】
以下、画像形成装置１−１〜１−ｎのうち任意のものを、画像形成装置１（表示装置の一例）と呼ぶことがある。情報処理装置３−１〜３−ｍのうち任意のものを、情報処理装置３と呼ぶことがある。さらに、ネットワーク４ａおよび４ｂのうち任意のものをネットワーク４と記すことがある。
【００３７】
ネットワーク４は、たとえば有線または無線のＬＡＮ（Ｌｏｃａｌ  Ａｒｅａ  Ｎｅｔｗｏｒｋ）などの専用回線を用いたもの、一般回線を用いたもの、および無線通信によるもののいずれであっても構わない。ネットワーク４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク４に接続された機器は、お互いに各種データのやり取りが可能となっている。なお、ネットワーク４は、一般回線を用いたものや無線通信を用いたものであってもよい。
【００３８】
画像形成装置１は、走査した原稿画像の複写画像や、情報処理装置３から受信したプリントデータに基づいて生成した画像の複写画像を、用紙上に形成する装置である。プリントデータとは、たとえば、情報処理装置３のオペレーティングシステムやアプリケーションプログラムが発行する描画命令を、プリンタドライバによって画像形成装置１が処理可能なページ記述言語に変換したものである。プリントデータは、ＰＤＦ、ＴＩＦＦ、ＪＰＥＧ、またはＸＰＳなどのファイルフォーマットで記述された文書データなどであってもよい。
【００３９】
画像形成装置１は、ネットワーク４を介して、情報処理装置３や他の画像形成装置１に原稿画像を送信することも可能である。画像形成装置１は、外部ネットワーク５を介して、別のネットワーク４に接続された他の画像形成装置１や情報処理装置３に原稿画像を送信することも可能である。さらに画像形成装置１は、原稿画像や情報処理装置３から受信した文書データを、画像形成装置１内の固定記憶装置に蓄積することも可能である。
【００４０】
携帯端末２は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、固定記憶装置、モニター、およびタッチ操作可能なＬＣＤ（Ｌｉｑｕｉｄ  Ｃｒｙｓｔａｌ  Ｄｉｓｐｌａｙ）パネルなどを有する携帯型のコンピューター装置である。携帯端末２によれば、電子化された文書を固定記憶装置内に蓄積して持ち運び、任意の場所において閲覧、編集を行うことが可能である。また携帯端末２は、無線通信部を有しており、画像形成装置１や情報処理装置３などとの間で文書の送受信を行うことができる。さらに携帯端末２は、画像形成装置１を遠隔操作する手段を含んでいる。
【００４１】
情報処理装置３は、ＣＰＵ、ＲＡＭ、固定記憶装置（ハードディスク装置など）、モニター、キーボード、およびマウスなどを有する一般的なコンピューター装置である。情報処理装置３は、ユーザーの指示によりプリントデータを生成し、生成したプリントデータを画像形成装置１に送信する。
【００４２】
図２は、本発明の第１の実施の形態における画像形成装置１の内部構成を示すブロック図である。
【００４３】
図２を参照して、画像形成装置１は、ＣＰＵ１０１（設定手段、認証手段、第１および第２の後切替手段の一例）と、ＲＯＭ１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）１０４と、時計ＩＣ（Ｉｎｔｅｇｒａｔｅｄ  Ｃｉｒｃｕｉｔ）１０５と、固定記憶装置１１０と、画像読取装置１２０と、操作パネル１３０と、画像出力装置１４０と、プリンターコントローラ１５０と、ネットワークインターフェース１６０と、ワイヤレスインターフェース１７０と、近距離無線インターフェース１８０とを含んでいる。
【００４４】
ＣＰＵ１０１には、ＲＯＭ１０２、ＳＲＡＭ１０３、ＮＶＲＡＭ１０４、および時計ＩＣ１０５の各々がバスを介して接続されている。ＣＰＵ１０１、ＲＯＭ１０２、ＳＲＡＭ１０３、ＮＶＲＡＭ１０４、および時計ＩＣ１０５によって制御部１００が構成されている。
【００４５】
ＣＰＵ１０１は、制御プログラムに従って画像形成装置１の動作を制御する。
【００４６】
ＲＯＭ１０２は制御プログラムを格納する。
【００４７】
ＳＲＡＭ１０３はＣＰＵ１０１の作業用のメモリである。
【００４８】
ＮＶＲＡＭ１０４はバッテリバックアップにより、画像形成に関わる各種の設定を記憶している。
【００４９】
制御部１００には、固定記憶装置１１０、画像読取装置１２０、操作パネル１３０、画像出力装置１４０、プリンターコントローラ１５０、ネットワークインターフェース１６０、ワイヤレスインターフェース１７０、および近距離無線インターフェース１８０（受信手段の一例）の各々がバスを介して接続されている。
【００５０】
固定記憶装置１１０は、たとえばハードディスク装置であり、各種情報を格納する。
【００５１】
画像読取装置１２０は、原稿画像を読み取る。
【００５２】
操作パネル１３０は、数字の入力を行うテンキー１３１と、印刷の実行指示を受け付けるプリントキー１３２と、ユーザーのログアウトの指示を受け付けるログアウトキー１３３と、表示部１３４（操作受付手段の一例）と、振動部１３５（第１〜第３の振動手段の一例）とを含んでいる。表示部１３４は、タッチパネル式のＬＣＤ（Ｌｉｑｕｉｄ  Ｃｒｙｓｔａｌ  Ｄｉｓｐｌａｙ）であり、各種情報を表示し、各種操作を受け付ける。
【００５３】
振動部１３５は、表示部１３４に表示された各種ボタンの押下を受け付けた場合などの所定の場合に、表示部１３４を振動させる。振動部１３５による振動のオンオフは、表示部１３４を通じて設定可能である。
【００５４】
画像出力装置１４０は、複写画像を用紙上に形成する。
【００５５】
プリンターコントローラ１５０は、ネットワークインターフェース１６０により受信したプリントデータから複写画像を生成する。
【００５６】
ネットワークインターフェース１６０は、ネットワークケーブル４ｃを介して画像形成装置１をネットワーク４に接続する。ネットワークインターフェース１６０は、他の画像形成装置１、携帯端末２、または情報処理装置３などの外部装置との間で、各種の情報を送受信する。
【００５７】
ワイヤレスインターフェース１７０は、他の画像形成装置１、携帯端末２、または情報処理装置３などの外部装置との間で無線通信を行う。
【００５８】
近距離無線インターフェース１８０は、たとえばＮＦＣ、Ｂｌｕｅｔｏｏｔｈ（登録商標）、またはＩｒＤＡ（登録商標）などの近距離無線通信であって、主に携帯端末２との間での近距離無線通信に用いられる。近距離無線インターフェース１８０は、たとえば、印刷後の用紙が排紙される排紙部、操作パネル１３０付近、または、排紙部とは反対側の部位などに配置されてもよい。
【００５９】
図３は、本発明の第１の実施の形態における携帯端末２の内部構成を示すブロック図である。
【００６０】
図３を参照して、携帯端末２は、ＣＰＵ２０１と、ＲＯＭ２０２と、ＲＡＭ２０３と、固定記憶装置２１０と、表示部２２０と、ワイヤレスＬＡＮインターフェース２７０と、近距離無線インターフェース２８０と、振動部２９０とを含んでいる。
【００６１】
ＣＰＵ２０１には、ＲＯＭ２０２、およびＲＡＭ２０３の各々がバスを介して接続されている。ＣＰＵ２０１、ＲＯＭ２０２、およびＲＡＭ２０３によって制御部２００が構成されている。
【００６２】
ＣＰＵ２０１は、制御プログラムに従って携帯端末２の動作を制御する。
【００６３】
ＲＯＭ２０２は、携帯端末２の動作を制御する制御プログラムを格納する。
【００６４】
ＲＡＭ２０３はＣＰＵ２０１の作業用のメモリである。
【００６５】
制御部２００には、固定記憶装置２１０、表示部２２０、ワイヤレスＬＡＮインターフェース２７０、近距離無線インターフェース２８０、および振動部２９０の各々がバスを介して接続されている。
【００６６】
固定記憶装置２１０は、たとえばハードディスク装置であり、各種情報を格納する。
【００６７】
表示部２２０は、タッチパネル式のＬＣＤであり、各種情報を表示するとともに、各種操作を受け付ける。
【００６８】
ワイヤレスＬＡＮインターフェース２７０は、画像形成装置１や情報処理装置３などの外部装置との間で無線通信を行う。
【００６９】
近距離無線インターフェース２８０は、主に画像形成装置１との間の近距離無線通信に用いられる。
【００７０】
振動部２９０は、表示部２２０に表示された各種ボタンの押下を受け付けた場合などの所定の場合に、表示部２２０を振動させる。
【００７１】
図４は、本発明の第１の実施の形態における画像形成装置１と携帯端末２との接続の態様を模式的に示す図である。
【００７２】
図４を参照して、携帯端末２は、ネットワーク４上のアクセスポイントＡＰを通じて画像形成装置１と接続することが可能であり、画像形成装置１との間で各種の情報を送受信することが可能である。また携帯端末２は、画像形成装置１と直接接続することも可能であり、画像形成装置１との間で直接（ネットワーク４を経由せずに）各種の情報を直接送受信することも可能である。
【００７３】
画像形成装置１と携帯端末２とが直接接続する方法としては、Ｗｉ−Ｆｉ（登録商標）を用いた無線通信により接続する方法、ＮＦＣ（Ｎｅａｒ  Ｆｉｅｌｄ  Ｃｏｍｍｕｎｉｃａｔｉｏｎ）やＢｌｕｅｔｏｏｔｈなどの近距離無線通信により接続する方法などがある。画像形成装置１と携帯端末２とが直接接続する場合には、次のタイミングで接続を開始することが想定される。
【００７４】
たとえば画像形成装置１と携帯端末２とがＷｉ−Ｆｉを用いた無線通信により接続する場合には、携帯端末２の表示部２２０において、事前登録、検索、または履歴情報などを手掛かりとして接続先として画像形成装置１を選択し、Ｗｉ−Ｆｉ通信を開始するための接続ボタンが押下されたタイミングで接続を開始することが想定される。
【００７５】
また、画像形成装置１と携帯端末２とがＮＦＣにより接続する場合には、携帯端末２のユーザーによって画像形成装置１に設けられたＮＦＣエリアに携帯端末２がタッチされたタイミングで接続を開始することが想定される。
【００７６】
また、画像形成装置１と携帯端末２とがＢｌｕｅｔｏｏｔｈにより接続する場合には、画像形成装置１および携帯端末２のうち一方が他方を検知したタイミング（検知エリアが広い場合には、一方が他方を検知し、かつ所定のボタンが押下されたタイミング）で接続を開始することが想定される。
【００７７】
図５は、本発明の第１の実施の形態において設定可能な振動部１３５の振動形式の種類を示す図である。
【００７８】
図５を参照して、ＲＯＭ１０２は、設定可能な振動部１３５の振動形式の候補として、４つの振動形式Ｍ１、Ｍ２、Ｍ３、およびＭ４を記憶している。ここでは、振動部１３５の振動形式は、振動周波数、振動強度、および振動時間を含む形式で規定されている。
【００７９】
振動形式Ｍ１は、デフォルトの振動形式である。振動形式Ｍ１は、１００Ｈｚという振動周波数および相対的に強い振動強度で、１ｓの間表示部１３４を振動させる振動形式である。振動形式Ｍ２は、１００Ｈｚという振動周波数および相対的に弱い振動強度で、２ｓの間表示部１３４を振動させる振動形式である。振動形式Ｍ３は、２５０Ｈｚという振動周波数および相対的に強い振動強度で、１ｓの間表示部１３４を振動させる振動形式である。振動形式Ｍ４は、２５０Ｈｚという振動周波数および相対的に弱い振動強度で、３ｓの間表示部１３４を振動させる振動形式である。
【００８０】
振動部１３５は、特に断りがない限り、４つの振動形式Ｍ１、Ｍ２、Ｍ３、およびＭ４のうちＣＰＵ１０１によって設定された振動形式に従って、表示部１３４を振動させる。
【００８１】
なお、振動部１３５の振動形式は振動の休止時間または振動の方向などの任意の形式で規定されていてもよい。
【００８２】
本実施の形態では、振動部１３５の振動形式の設定をデフォルトの振動形式Ｍ１から新た振動形式に切り替える場合の画像形成装置１の切替動作について説明する。
【００８３】
図６は、本発明の第１の実施の形態における画像形成装置１の切替動作を模式的に示す図である。
【００８４】
図６を参照して、ここでは、振動部１３５の振動形式の設定をデフォルトの振動形式Ｍ１から新た振動形式に切り替える場合の画像形成装置１の切替動作として、第１および第２の切替動作について説明する。画像形成装置１は、第１および第２の切替動作のうちいずれかの切替動作を行う。
【００８５】
前提として、携帯端末２には、携帯端末２のユーザーによって振動形式が設定されている。携帯端末２は、固定記憶装置２１０に振動設定情報を記憶している。振動設定情報とは、携帯端末２を操作した場合に携帯端末２を振動させる振動形式の設定情報である。
本実施の形態における振動設定情報は、具体的には「振動周波数：２５０Ｈｚ、振動周波数：弱、振動時間：３ｓ」という情報である。
【００８６】
第１の切替動作は次の通りである。携帯端末２は、画像形成装置１との通信を開始したタイミングなどの任意のタイミングで、振動設定情報を画像形成装置１に送信する（処理ＰＲ１）。利便性の観点から、画像形成装置１を操作しようとしているユーザーが、自らが所有する携帯端末２を画像形成装置１の所定の位置に近づける操作を行った場合に、携帯端末２は画像形成装置１との近距離無線通信を開始し、近距離無線通信により振動設定情報を画像形成装置１に送信することが好ましい。携帯端末２はネットワーク４を通じて振動設定情報を画像形成装置１に送信してもよい。
【００８７】
画像形成装置１は、近距離無線通信インターフェース１８０を通じて振動設定情報を携帯端末２から受信する。画像形成装置１は、受信した振動設定情報に基づいて、振動部１３５の振動形式を設定する（処理ＰＲ２）。本実施の形態では、画像形成装置１は、デフォルトの振動形式Ｍ１から、振動設定情報が示す振動形式と同一の振動形式である振動形式Ｍ４（２５０Ｈｚという振動周波数および相対的に弱い振動強度で、３ｓの間表示部１３４を振動させる振動形式）に振動部１３５の振動形式を切り替える。
【００８８】
その後、画像形成装置１は、表示部１３４を通じて操作を受け付けた場合に、設定した振動形式Ｍ４に従って表示部１３４を振動させる（処理ＰＲ３）。
【００８９】
第２の切替動作は次の通りである。携帯端末２は、画像形成装置１との通信を開始したタイミングなどの任意のタイミングで、振動設定情報とともに認証情報を画像形成装置１に送信する（処理ＰＲ１）。認証情報とは、画像形成装置１を使用しようとしているユーザーが正当な権限を有しているか否かを画像形成装置１が判断する処理である認証処理を行うために必要な情報である。認証情報は、たとえばユーザーのＩＤ（Ｉｄｅｎｔｉｆｉｃａｔｉｏｎ）およびパスワードを含んでいる。
【００９０】
画像形成装置１は振動設定情報および認証情報を携帯端末２から受信すると、受信した認証情報に基づいて携帯端末２のユーザーの認証処理を行う。画像形成装置１は、携帯端末２のユーザーを認証した場合（携帯端末２のユーザーが権限を有していると判断した場合）、受信した振動設定情報に基づいて振動部１３５の振動形式を設定する（処理ＰＲ２）。画像形成装置１は、デフォルトの振動形式Ｍ１から振動形式Ｍ４（「振動周波数：２５０Ｈｚ、振動周波数：弱、振動時間：３ｓ」）に振動部１３５の振動形式を切り替える。
【００９１】
その後、画像形成装置１は、表示部１３４を通じて操作を受け付けた場合に、設定した振動形式Ｍ４に従って表示部１３４を振動させる（処理ＰＲ３）。
【００９２】
なお、携帯端末２が振動設定情報を送信するタイミングは、認証情報を送信するタイミングと同じタイミングであってもよいし、携帯端末２のユーザーを認証した後のタイミングであってもよい。画像形成装置１は、携帯端末２から送信された認証情報を受信する代わりに、表示部１３４を通じてユーザーから認証情報の操作入力を受け付けてもよい。
【００９３】
図７は、本発明の第１の実施の形態における振動部１３５の振動形式の設定の第１の切替動作を示すフローチャートである。
【００９４】
図７を参照して、画像形成装置１のＣＰＵ１０１は、携帯端末２との通信を開始すると（Ｓ１０１）、振動設定情報を携帯端末２から受信したか否かを判別する（Ｓ１０３）。
【００９５】
ステップＳ１０３において、振動設定情報を携帯端末２から受信しないと判別した場合（Ｓ１０３でＮＯ）、ＣＰＵ１０１は処理を終了する。
【００９６】
ステップＳ１０３において、振動設定情報を携帯端末２から受信したと判別した場合（Ｓ１０３でＹＥＳ）、ＣＰＵ１０１は、受信した振動設定情報と同一の振動設定に振動部１３５の振動形式を切り替え（Ｓ１０５）、処理を終了する。
【００９７】
図８は、本発明の第１の実施の形態における振動部１３５の振動形式の設定の第２の切替動作を示すフローチャートである。
【００９８】
図８を参照して、画像形成装置１のＣＰＵ１０１は、携帯端末２との通信を開始すると（Ｓ２０１）、携帯端末２に対してログイン（認証情報の送信）を要求する（Ｓ２０３）。続いてＣＰＵ１０１は、ログインに成功したか否か（携帯端末２のユーザーを認証したか否か）を判別する（Ｓ２０５）。
【００９９】
ステップＳ２０５において、ログインに失敗したと判別した場合（Ｓ２０５でＮＯ）、ＣＰＵ１０１は処理を終了する。
【０１００】
ステップＳ２０５において、ログインに成功したと判別した場合（Ｓ２０５でＹＥＳ）、振動設定情報を携帯端末２から受信したか否かを判別する（Ｓ２０７）。
【０１０１】
ステップＳ２０７において、振動設定情報を携帯端末２から受信しないと判別した場合（Ｓ２０７でＮＯ）、ＣＰＵ１０１は処理を終了する。
【０１０２】
ステップＳ２０７において、振動設定情報を携帯端末２から受信したと判別した場合（Ｓ２０７でＹＥＳ）、ＣＰＵ１０１は、受信した振動設定情報と同一の振動設定に振動部１３５の振動形式の設定を切り替え（Ｓ２０９）、処理を終了する。
【０１０３】
本実施の形態によれば、振動部１３５の振動形式を、通信を行っている携帯端末２の振動形式と共通化することができる。これにより、表示画面を押下した感覚を画像形成装置１および携帯端末２で共通化することができ、ユーザーの利便性を向上することができる。
【０１０４】
また、画像形成装置１が振動設定情報を近距離無線通信により携帯端末２から受信する場合には、ユーザーは、携帯端末２を画像形成装置１に接近させるという簡易な操作を行うことにより、振動部１３５の振動形式を自らが所持する携帯端末２の振動形式と共通化することができる。その結果、ユーザーの利便性を向上することができる。
【０１０５】
［第２の実施の形態］
【０１０６】
以降の第２〜第６の実施の形態における画像処理システムの構成および説明の無い部分の動作については、第１の実施の形態の場合と同様であるため、その説明は繰り返さない。
【０１０７】
本実施の形態では、振動部１３５の振動形式の設定をデフォルトの振動形式Ｍ１に戻す場合の画像形成装置１の切替動作について説明する。
【０１０８】
図９は、本発明の第２の実施の形態における振動部１３５の振動形式の設定の切替動作を模式的に示す図である。
【０１０９】
図９を参照して、前提として、携帯端末２のユーザーを認証した後で、振動設定情報に基づいて振動部１３５の振動形式が振動形式Ｍ４に設定されている。
【０１１０】
画像形成装置１は、認証したユーザーが画像形成装置１をログアウトしたことを検知した場合に、振動部１３５の振動形式の設定を、振動形式Ｍ４からデフォルトの振動形式Ｍ１（ログイン前の振動形式）に切り替える（処理ＰＲ４）。
【０１１１】
画像形成装置１が表示部１３４を通じて新たなユーザーから認証情報の操作入力を受け付ける状況では、新たなユーザーが表示部１３４を通じて認証情報の操作入力を行う際に、前にログインしていたユーザーの振動設定情報に基づいて設定された振動設定に従って振動部１３５が表示部１３４を振動させることとなる。言い換えれば、ログイン前とログイン後とで振動設定が異なる事態が起こり得る。
【０１１２】
そこで、ログアウトしたことを検知した場合に、振動部１３５の振動形式の設定をデフォルトの振動形式Ｍ１に戻すことにより、新たなユーザーが表示部１３４を通じてログイン操作を行う場合に、前にログインしていたユーザーの振動設定情報に基づいて設定された振動設定に従って表示部１３４を振動させる事態を回避することができ、ユーザーの利便性を向上することができる。
【０１１３】
ところで、画像形成装置１のＣＰＵ１０１は、表示部１３４にて所定の時間操作を受け付けない場合、操作完了とみなしてそれまでに入力された各種設定をクリアし、デフォルトの設定に戻すオールクリアの処理を行う。画像形成装置１は、オールクリアの処理を行う場合に、ログアウトしたことを検知した場合と同様に、携帯端末２から受信した振動設定情報に基づいて設定した振動形式Ｍ４からデフォルトの振動形式Ｍ１（ログイン前の振動形式）に振動形式を切り替えてもよい。さらに画像形成装置１は、ログアウトしたことを検知した場合およびオールクリアの処理を行う場合のうち少なくともいずれか一方の場合に、携帯端末２から受信した振動設定情報に基づいて設定した振動形式Ｍ４からデフォルトの振動形式Ｍ１（ログイン前の振動形式）に振動部１３５の振動形式を切り替えてもよい。
【０１１４】
また、省電力状態に入るタイミングや、リセットキーを押下されたタイミングなどにおいて、画像形成装置１はオールクリアの処理を行い、デフォルトの振動形式Ｍ１に振動部１３５の振動形式を戻してもよい。
【０１１５】
図１０は、本発明の第２の実施の形態における振動部１３５の振動形式の設定の切替動作を示すフローチャートである。
【０１１６】
図１０を参照して、画像形成装置１のＣＰＵ１０１は、携帯端末２との通信を開始すると（Ｓ３０１）、携帯端末２に対してログイン（認証情報の送信）を要求する（Ｓ３０３）。続いてＣＰＵ１０１は、ログインに成功したか否かを判別する（Ｓ３０５）。
【０１１７】
ステップＳ３０５において、ログインに成功したと判別した場合（Ｓ３０５でＹＥＳ）、振動設定情報を携帯端末２から受信したか否かを判別する（Ｓ３０７）。
【０１１８】
ステップＳ３０５において、ログインに失敗したと判別した場合（Ｓ３０５でＮＯ）、またはステップＳ３０７において、振動設定情報を携帯端末２から受信しないと判別した場合（Ｓ３０７でＮＯ）、ＣＰＵ１０１は処理を終了する。
【０１１９】
ステップＳ３０７において、振動設定情報を携帯端末２から受信したと判別した場合（Ｓ３０７でＹＥＳ）、ＣＰＵ１０１は、受信した振動設定情報と同一の振動設定に振動部１３５の振動形式の設定を切り替え（Ｓ３０９）、認証したユーザーがログアウトしたか否かを判別する（Ｓ３１１）。
【０１２０】
ステップＳ３１１において、認証したユーザーがログアウトしていないと判別した場合（Ｓ３１１でＮＯ）、ＣＰＵ１０１は、オールクリアの処理を行うタイミングであるか否かを判別する（Ｓ３１３）。
【０１２１】
ステップＳ３１３において、オールクリアの処理を行うタイミングでないと判別した場合（Ｓ３１３でＮＯ）、ＣＰＵ１０１はステップＳ３１１の処理へ進む。
【０１２２】
ステップＳ３１１において、認証したユーザーがログアウトしたと判別した場合（Ｓ３１１でＹＥＳ）、またはステップＳ３１３において、オールクリアの処理を行うタイミングであると判別した場合（Ｓ３１３でＹＥＳ）、ＣＰＵ１０１は、振動部１３５の振動形式の設定を振動形式Ｍ４からデフォルトの振動形式Ｍ１に切り替え（Ｓ３１５）、処理を終了する。
【０１２３】
本実施の形態によれば、ログアウトしたことを検知した場合やオールクリアの処理を行う場合に、振動部１３５の振動形式の設定をデフォルトの振動形式Ｍ１に戻すことにより、新たなユーザーが表示部１３４を通じてログイン操作を行う場合に、前にログインしていたユーザーの振動設定情報に基づいて設定された振動設定に従って表示部１３４を振動させる事態を回避することができ、ユーザーの利便性を向上することができる。
【０１２４】
［第３の実施の形態］
【０１２５】
振動部１３５が振動を行うためのハードウェア（たとえば振動パネルやモーターなど）は、一般的に、動作可能な振動周波数や振動強度の範囲を有している。携帯端末２から受信した振動設定情報が示す振動設定が、振動部１３５が動作可能な範囲を超えるものである場合、振動設定情報が示す振動設定と同一の振動設定で振動部１３５が振動できない事態が生じる。また、設定可能な振動部１３５の振動形式Ｍ１、Ｍ２、Ｍ３、およびＭ４とは異なる振動形式の振動設定情報を受信した場合にも、振動設定情報が示す振動設定と同一の振動設定で振動部１３５が振動できない事態が生じる。
【０１２６】
本実施の形態では、上述のように、振動設定情報が示す振動設定と同一の振動設定で振動部１３５が振動できない事態（振動設定情報が示す振動設定に画像形成装置１が対応していない事態）が生じた場合の画像形成装置１の切替動作について説明する。
【０１２７】
図１１は、本発明の第３の実施の形態における振動部１３５の振動形式の設定の切替動作を模式的に示す図である。
【０１２８】
図１１を参照して、ここでは携帯端末２から受信した振動設定情報が示す振動設定に画像形成装置１が対応していない場合の画像形成装置１の切替動作として、第１〜第４の切替動作について説明する。画像形成装置１は、第１〜第４の切替動作のうちいずれかの切替動作を行う。
【０１２９】
前提として、携帯端末２には、携帯端末２のユーザーによって振動形式が設定されている。携帯端末２が保持する振動設定情報は、具体的には「振動周波数：３５０Ｈｚ、振動周波数：強、振動時間：１ｓ」という情報である。この振動設定情報が示す振動形式は、設定可能な振動部１３５の振動形式Ｍ１、Ｍ２、Ｍ３、およびＭ４とは異なるものである。
【０１３０】
携帯端末２は、画像形成装置１との通信を開始したタイミングなどの任意のタイミングで、振動設定情報を画像形成装置１に送信する（処理ＰＲ１）。
【０１３１】
画像形成装置１は振動設定情報を携帯端末２から受信すると、受信した振動設定情報が示す振動形式と同一の振動形式が振動形式Ｍ１、Ｍ２、Ｍ３、およびＭ４の中に存在するか否かを判別する。振動形式の同一性の判別は、振動周波数、振動強度、および振動時間の情報を用いて行われる。また振動設定情報が他の情報（振動させない場合の条件など）を含んでいればその情報を用いて行われてもよい。
【０１３２】
図１１（ａ）を参照して、受信した振動設定情報が示す振動形式と同一の振動形式が振動形式Ｍ１、Ｍ２、Ｍ３、およびＭ４の中に存在しない場合、第１の切替動作において画像形成装置１は、振動形式Ｍ１、Ｍ２、Ｍ３、およびＭ４のうち任意の振動形式（ここでは振動形式Ｍ１）に、振動部１３５の振動形式を設定する。
【０１３３】
図１１（ｂ）を参照して、受信した振動設定情報が示す振動形式と同一の振動形式が振動形式Ｍ１、Ｍ２、Ｍ３、およびＭ４の中に存在しない場合、第２の切替動作において画像形成装置１は、振動形式Ｍ１、Ｍ２、Ｍ３、およびＭ４のうち振動設定情報が示す振動形式に最も近い振動形式Ｍ３に、振動部１３５の振動形式を設定する。振動形式Ｍ３は、振動設定情報が示す振動周波数に最も近く、振動形式と振動強度および振動強度が一致するためである。
【０１３４】
図１１（ｃ）を参照して、受信した振動設定情報が示す振動形式と同一の振動形式が振動形式Ｍ１、Ｍ２、Ｍ３、およびＭ４の中に存在しない場合、第３の切替動作において画像形成装置１は、情報処理装置３などの外部機器から振動設定情報が示す振動形式のデータ（振動設定情報が示す振動形式で振動するために必要なプログラム）を取得し（処理ＰＲ２Ａ）、その振動形式のデータを用いた振動形式Ｍ５に振動部１３５の振動形式を設定する（処理ＰＲ２Ｂ）。振動形式Ｍ５は、３５０Ｈｚという振動周波数および相対的に強い振動強度で、１ｓの間表示部１３４を振動させる振動形式である。なお、振動形式のデータの取得先は、情報処理装置３の他、携帯端末２、サーバー（ＰＣ）、またはクラウドなどであってもよい。
【０１３５】
図１１（ｄ）を参照して、受信した振動設定情報が示す振動形式と同一の振動形式が振動形式Ｍ１、Ｍ２、Ｍ３、およびＭ４の中に存在しない場合、第４の切替動作において画像形成装置１は、振動設定情報に基づいて新たな振動形式Ｍ５を作成し（処理ＰＲ２Ｃ）、新たな振動形式Ｍ５に振動部１３５の振動形式を設定する（処理ＰＲ２Ｄ）。なお、処理ＰＲ２Ｃにおいて作成する新たな振動形式は、振動設定情報が示す振動形式と同一である必要はなく、振動設定情報が示す振動形式を近似したものであってもよい。
【０１３６】
画像形成装置１は、振動部１３５の振動形式の設定後、表示部１３４を通じて操作を受け付けた場合に、設定した振動形式Ｍ４に従って表示部１３４を振動させる（処理ＰＲ３）。
【０１３７】
図１２は、本発明の第３の実施の形態における振動部１３５の振動形式の設定の第１の切替動作を示すフローチャートである。
【０１３８】
図１２を参照して、画像形成装置１のＣＰＵ１０１は、携帯端末２との通信を開始すると（Ｓ４０１）、振動設定情報を携帯端末２から受信したか否かを判別する（Ｓ４０３）。
【０１３９】
ステップＳ４０３において、振動設定情報を携帯端末２から受信しないと判別した場合（Ｓ４０３でＮＯ）、ＣＰＵ１０１は処理を終了する。
【０１４０】
ステップＳ４０３において、振動設定情報を携帯端末２から受信したと判別した場合（Ｓ４０３でＹＥＳ）、ＣＰＵ１０１は、受信した振動設定情報が示す振動形式に画像形成装置１が対応しているか否かを判別する（Ｓ４０５）。
【０１４１】
ステップＳ４０５において、受信した振動設定情報が示す振動形式に画像形成装置１が対応していると判別した場合（Ｓ４０５でＹＥＳ）、ＣＰＵ１０１は、受信した振動設定情報と同一の振動設定に振動部１３５の振動形式を切り替え（Ｓ４０７）、処理を終了する。
【０１４２】
ステップＳ４０５において、受信した振動設定情報が示す振動形式に画像形成装置１が対応していないと判別した場合（Ｓ４０５でＮＯ）、ＣＰＵ１０１は、画像形成装置１が有する任意の振動形式に振動部１３５の振動形式を切り替え（Ｓ４０９）、処理を終了する。
【０１４３】
図１３は、本発明の第３の実施の形態における振動部１３５の振動形式の設定の第２の切替動作を示すフローチャートである。
【０１４４】
図１３を参照して、このフローチャートは、ステップＳ４０５において受信した振動設定情報が示す振動形式に画像形成装置１が対応していないと判別した場合（Ｓ４０５でＮＯ）に、ステップＳ４１１の処理を行う点において、図１２に示すフローチャートとは異なっている。
【０１４５】
ステップＳ４１１において、ＣＰＵ１０１は、画像形成装置１が有する振動形式のうち、振動設定情報が示す振動形式に最も近い振動形式に振動部１３５の振動形式を切り替え（Ｓ４１１）、処理を終了する。
【０１４６】
図１４は、本発明の第３の実施の形態における振動部１３５の振動形式の設定の第３の切替動作を示すフローチャートである。
【０１４７】
図１４を参照して、このフローチャートは、ステップＳ４０５において受信した振動設定情報が示す振動形式に画像形成装置１が対応していないと判別した場合（Ｓ４０５でＮＯ）に、ステップＳ４２１以降の処理を行う点において、図１２に示すフローチャートとは異なっている。
【０１４８】
ステップＳ４２１において、ＣＰＵ１０１は、外部機器から振動設定情報が示す振動形式のデータを取得し（Ｓ４２１）、その振動形式のデータを用いた振動形式に振動部１３５の振動形式を切り替え（Ｓ４２３）、処理を終了する。
【０１４９】
図１５は、本発明の第３の実施の形態における振動部１３５の振動形式の設定の第４の切替動作を示すフローチャートである。
【０１５０】
図１５を参照して、このフローチャートは、ステップＳ４０５において受信した振動設定情報が示す振動形式に画像形成装置１が対応していないと判別した場合（Ｓ４０５でＮＯ）に、ステップＳ４３１以降の処理を行う点において、図１２に示すフローチャートとは異なっている。
【０１５１】
ステップＳ４３１において、ＣＰＵ１０１は、振動設定情報に基づいて新たな振動形式を作成し（Ｓ４３１）、新たな振動形式に振動部１３５の振動形式を切り替え（Ｓ４３３）、処理を終了する。
【０１５２】
本実施の形態によれば、受信した振動設定情報が示す振動形式と同一の振動形式が、画像形成装置１が有する振動形式の候補の中に存在しない場合であっても、振動形式を適宜設定することができる。
【０１５３】
［第４の実施の形態］
【０１５４】
画像形成装置１が表示部１３４を通じて受け付ける操作には、画像形成装置１が受付可能な操作と、画像形成装置１が受付不可能な操作とがある。一例として、画像形成装置１が原稿画像を拡大して印刷するコピージョブの条件の設定を受け付ける場合、画像形成装置１が実行可能な拡大率の上限値を超える拡大率を設定する操作は、画像形成装置１が受付不可能な操作に該当する。また画像形成装置１の一部の機能のみの使用権限を有するユーザーが、使用権限を有さない他の機能を使用しようとする操作は、画像形成装置１が受付不可能な操作に該当する。
【０１５５】
本実施の形態では、表示部１３４が受付可能な操作を受け付けた場合に、振動部１３５は、振動設定情報に基づいて設定した振動形式に従って表示部１３４を振動させる。画像形成装置１が受付不可能な操作を表示部１３４にて受け付けた場合に、振動部１３５は、振動設定情報に基づいて設定した振動形式とは異なる振動形式に従って表示部１３４を振動させる。
【０１５６】
ここでは、画像形成装置１が受付不可能な操作を表示部１３４にて受け付けた場合に、振動設定情報に基づいて設定した振動形式の振動強度よりも高い振動強度を有する振動形式で、振動部１３５が表示部１３４を振動させる場合（第１の切替動作）と、振動設定情報に基づいて設定した振動形式の振動周波数よりも高い振動周波数を有する振動形式で、振動部１３５が表示部１３４を振動させる場合（第２の切替動作）とについて説明する。
【０１５７】
図１６は、本発明の第４の実施の形態における振動部１３５の振動形式の設定の第１の切替動作を示すフローチャートである。
【０１５８】
図１６を参照して、画像形成装置１のＣＰＵ１０１は、携帯端末２との通信を開始すると（Ｓ５０１）、振動設定情報を携帯端末２から受信したか否かを判別する（Ｓ５０３）。
【０１５９】
ステップＳ５０３において、振動設定情報を携帯端末２から受信しないと判別した場合（Ｓ５０３でＮＯ）、ＣＰＵ１０１はステップＳ５０９の処理へ進む。
【０１６０】
ステップＳ５０３において、振動設定情報を携帯端末２から受信したと判別した場合（Ｓ５０３でＹＥＳ）、ＣＰＵ１０１は、受信した振動設定情報に基づいて、受付可能時の振動部１３５の振動形式を設定する（Ｓ５０５）。次にＣＰＵ１０１は、受付可能時の振動部１３５の振動形式の振動強度を増加した振動形式であって、受付可能時の振動部１３５の振動形式の振動周波数および振動時間と同一の振動周波数および振動時間を有する振動形式に、受付不可能時の振動部１３５の振動形式を設定する（Ｓ５０７）。次にＣＰＵ１０１は、表示部１３４に表示したボタンの押下を受け付けると（Ｓ５０９）、ボタンを押下する操作が受付可能な操作であるか否かを判別する（Ｓ５１１）。
【０１６１】
ステップＳ５１１において、ボタンを押下する操作が受付可能な操作であると判別した場合（Ｓ５１１でＹＥＳ）、ＣＰＵ１０１は、受付可能時の振動形式で表示部１３４を振動させ（Ｓ５１３）、処理を終了する。
【０１６２】
ステップＳ５１１において、ボタンを押下する操作が受付可能な操作でないと判別した場合（Ｓ５１１でＮＯ）、ＣＰＵ１０１は、受付不可能時の振動形式で表示部１３４を振動させ（Ｓ５１５）、処理を終了する。
【０１６３】
なお、画像形成装置１が受付不可能な操作を表示部１３４にて受け付けた場合に、振動部１３５は、振動設定情報に基づいて設定した振動形式の振動強度よりも弱い振動強度を有する振動形式で表示部１３４を振動させてもよい。
【０１６４】
図１７は、本発明の第４の実施の形態における振動部１３５の振動形式の設定の第２の切替動作を示すフローチャートである。
【０１６５】
図１７を参照して、このフローチャートは、ステップＳ５０５に続いてステップＳ５２１の処理を行う点において、図１６に示すフローチャートとは異なっている。
【０１６６】
ステップＳ５２１において、ＣＰＵ１０１は、受付可能時の振動部１３５の振動形式の振動周波数を増加した振動形式であって、受付可能時の振動部１３５の振動形式の振動強度および振動時間と同一の振動強度および振動時間を有する振動形式に、受付不可能時の振動部１３５の振動形式を設定する（Ｓ５２１）。その後ＣＰＵ１０１は、ステップＳ５０９以降の処理を行う。
【０１６７】
なお、画像形成装置１が受付不可能な操作を表示部１３４にて受け付けた場合に、振動部１３５は、振動設定情報に基づいて設定した振動形式の振動周波数よりも低い振動周波数を有する振動形式で表示部１３４を振動させてもよい。また、携帯端末２側が受付可能時の振動形式の設定と受付不可能時の振動形式の設定とを有している場合には、それぞれの設定に従って、画像形成装置１における受付可能時の振動形式の設定と受付不可能時の振動形式の設定とを行ってもよい。
【０１６８】
本実施の形態によれば、ユーザーにより行われた操作が受付可能な操作であるか否かを、振動の種類によりユーザーにフィードバックすることができ、ユーザーの利便性を向上することができる。
【０１６９】
［第５の実施の形態］
【０１７０】
本実施の形態では、マルチタッチを表示部１３４が受け付けた場合に、振動部１３５は、振動設定情報に基づいて設定した振動形式とは異なる振動形式であるマルチタッチ用の振動形式に従って表示部１３４を振動させる。マルチタッチとは、表示部１３４が操作を受け付ける操作面に対して複数点を接触させる操作であり、ピンチイン／ピンチアウト、スクロール、またはスワイプなどを含む操作である。
【０１７１】
図１８は、本発明の第５の実施の形態における振動部１３５の振動形式の設定の切替動作を示すフローチャートである。
【０１７２】
図１８を参照して、画像形成装置１のＣＰＵ１０１は、携帯端末２との通信を開始すると（Ｓ６０１）、振動設定情報を携帯端末２から受信したか否かを判別する（Ｓ６０３）。
【０１７３】
ステップＳ６０３において、振動設定情報を携帯端末２から受信しないと判別した場合（Ｓ６０３でＮＯ）、ＣＰＵ１０１はステップＳ６０７の処理へ進む。
【０１７４】
ステップＳ６０３において、振動設定情報を携帯端末２から受信したと判別した場合（Ｓ６０３でＹＥＳ）、ＣＰＵ１０１は、受信した振動設定情報に基づいて、振動部１３５の通常の振動形式を設定する（Ｓ６０５）。次にＣＰＵ１０１は、表示部１３４にて操作を受け付けると（Ｓ６０７）、受け付けた操作がマルチタッチであるか否かを判別する（Ｓ６０９）。
【０１７５】
ステップＳ６０９において、受け付けた操作がマルチタッチでないと判別した場合（Ｓ６０９でＮＯ）、ＣＰＵ１０１は、振動設定情報に基づいて設定した通常の振動形式に従って振動部１３５を振動させ（Ｓ６１３）、処理を終了する。
【０１７６】
ステップＳ６０９において、受け付けた操作がマルチタッチであると判別した場合（Ｓ６０９でＹＥＳ）、ＣＰＵ１０１は、予め固定記憶装置１１０にて保持しているマルチタッチ用の振動設定に従って振動部１３５を振動させ（Ｓ６１１）、処理を終了する。
【０１７７】
マルチタッチ用の振動設定の一例として、設定されている通常の振動形式の振動時間が１ｓである場合において、マルチタッチを受け付けたときは、ＣＰＵ１０１は、マルチタッチを受け付けている間、通常の振動形式の設定に従う振動動作を繰り返し行ってもよい。また、マルチタッチの操作スピードに応じて、振動強度または振動周波数などを変更してもよい。
【０１７８】
本実施の形態によれば、ユーザーにより行われた操作がマルチタッチであるか否かを、振動の種類によりユーザーにフィードバックすることができ、ユーザーの利便性を向上することができる。
【０１７９】
［第６の実施の形態］
【０１８０】
表示部１３４への操作を開始する場合以外の場合にも、画像形成装置１が携帯端末２と通信を行う状況は存在する。たとえば画像形成装置１は、スキャンデータの送信先選択画面を表示部１３４に表示している状態で、携帯端末２との通信を開始し、携帯端末２に保存されているアドレスデータを携帯端末２から取得して、取得したアドレスデータのアドレスを含む送信先選択画面を表示する状況が想定される。この状況では、送信先選択画面に表示したアドレスの中からスキャンデータの送信先として設定するアドレスの選択をユーザーから受け付ける。
【０１８１】
この状況において、画像形成装置１がアドレスデータとともに振動設定情報を携帯端末２から受信し、受信した振動設定情報に基づいて振動形式を設定した場合には、ユーザーがスキャンデータの送信先の選択を行っている最中に振動形式が切り替わり、ユーザーの混乱を招くおそれがある。
【０１８２】
そこで本実施の形態では、画像形成装置１が実行するジョブに関する操作を表示部１３４にて受け付けている間に振動設定情報を受信した場合、画像形成装置１は、受信した振動設定情報に基づいて振動形式を設定しない。
【０１８３】
図１９は、本発明の第６の実施の形態における振動部１３５の振動形式の設定の切替動作を示すフローチャートである。
【０１８４】
図１９を参照して、画像形成装置１のＣＰＵ１０１は、表示部１３４にて操作を受け付け（Ｓ７０１）、スキャンデータの送信先選択画面を表示し（Ｓ７０３）、アドレスデータを携帯端末２から受信する（Ｓ７０５）。続いてＣＰＵ１０１は、受信したアドレスデータを送信先選択画面に追加し（Ｓ７０７）、振動設定情報を携帯端末２から受信したか否かを判別する（Ｓ７０９）。
【０１８５】
ステップＳ７０９において、振動設定情報を携帯端末２から受信しないと判別した場合（Ｓ７０９でＮＯ）、ＣＰＵ１０１は処理を終了する。
【０１８６】
ステップＳ７０９において、振動設定情報を携帯端末２から受信したと判別した場合（Ｓ７０９でＹＥＳ）、ＣＰＵ１０１は、受信した振動設定情報に基づいて振動形式の設定を切り替えずに（Ｓ７１１）、処理を終了する。
【０１８７】
本実施の形態によれば、振動部１３５の振動形式の設定がジョブに関する操作中に切り替わる事態を回避することができ、ユーザーの利便性を向上することができる。
【０１８８】
［その他］
【０１８９】
上述の実施の形態は適宜組み合わせることが可能である。
【０１９０】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１９１】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１９２】
１，１−１，・・・・１−ｎ  画像形成装置（表示装置の一例）
２  携帯端末（外部機器の一例）
３，３−１，・・・３−ｍ  情報処理装置
４，４ａ，４ｂ  ネットワーク
４ｃ  ネットワークケーブル
５  外部ネットワーク
１００，２００  制御部
１０１，２０１  ＣＰＵ（Ｃｅｎｔｒａｌ  Ｐｒｏｃｅｓｓｉｎｇ  Ｕｎｉｔ）（設定手段、認証手段、第１および第２の後切替手段の一例）
１０２，２０２  ＲＯＭ（Ｒｅａｄ  Ｏｎｌｙ  Ｍｅｍｏｒｙ）
１０３，２０３  ＲＡＭ（Ｒａｎｄｏｍ  Ａｃｃｅｓｓ  Ｍｅｍｏｒｙ）
１０４  ＮＶ−ＲＡＭ（Ｎｏｎ  Ｖｏｌａｔｉｌｅ  Ｒａｎｄｏｍ  Ａｃｃｅｓｓ  Ｍｅｍｏｒｙ）
１０５  時計ＩＣ（Ｉｎｔｅｇｒａｔｅｄ  Ｃｉｒｃｕｉｔ）
１１０，２１０  固定記憶装置
１２０  画像読取装置
１３０  操作パネル
１３１  テンキー
１３２  プリントキー
１３３  ログアウトキー
１３４，２２０  表示部（操作受付手段の一例）
１３５，２９０  振動部（第１〜第３の振動手段の一例）
１４０  画像出力装置
１５０  プリンターコントローラ
１６０  ネットワークインターフェース
１７０  ワイヤレスインターフェース
１８０，２８０  近距離無線インターフェース（受信手段の一例）
２７０  ワイヤレスＬＡＮインターフェース
ＡＰ  アクセスポイント
ＰＲ１，ＰＲ２，ＰＲ２Ａ，ＰＲ２Ｂ，ＰＲ２Ｃ，ＰＲ２Ｄ，ＰＲ３，ＰＲ４  処理
【図１】
2020046714.tif 000003
【図２】
2020046714.tif 000004
【図３】
2020046714.tif 000005
【図４】
2020046714.tif 000006
【図５】
2020046714.tif 000007
【図６】
2020046714.tif 000008
【図７】
2020046714.tif 000009
【図８】
2020046714.tif 000010
【図９】
2020046714.tif 000011
【図１０】
2020046714.tif 000012
【図１１】
2020046714.tif 000013
【図１２】
2020046714.tif 000014
【図１３】
2020046714.tif 000015
【図１４】
2020046714.tif 000016
【図１５】
2020046714.tif 000017
【図１６】
2020046714.tif 000018
【図１７】
2020046714.tif 000019
【図１８】
2020046714.tif 000020
【図１９】
2020046714.tif 000021